(57)【要約】複数の装置（１，２，３）に対する単一のユーザ・インタフェースを提供する方法（及び関連するシステム）であって、少なくとも複数の前記装置は、少なくとも１つのユーザ調整可能なパラメタ（１４）を有し、該方法は、制御装置（１）に対して前記少なくとも１つのユーザ調整可能なパラメタを表現する情報を転送するステップと、少なくとも複数の前記装置の現在の使用に関連する使用情報を得るステップと、前記使用情報に基づき現在の使用に関連するユーザ調整可能なパラメタを選択するステップであって該パラメタは前記送信されたパラメタから選択するステップと、前記制御装置においてユーザ・インタフェース表現を生成するステップであって該ユーザインタフェース表現は前記選択されたパラメタを有するステップと、を有する。複数の装置に対して単一のユーザ・インタフェースを適合させること、及び該装置の能力に動的に適合する単一の装置リモコンを提供することが本発明の目的である。
2005519555.tif 000002
【特許請求の範囲】
【請求項１】
複数の装置に対して単一のユーザ・インタフェースを提供する方法であって、少なくとも複数の前記装置は少なくとも一つのユーザ調整可能なパラメタを有する方法において、
少なくとも複数の前記装置のために、制御装置に対して前記少なくとも一つのユーザ調整可能なパラメタを表現する情報を送信するステップと、
少なくとも複数の前記装置の現在の使用に関連する使用情報を得るステップと、
前記使用情報に基づき、前記現在の使用に関連するユーザ調整可能なパラメタを選択するステップであって、該パラメタは受信された前記パラメタから選択されるステップと、
前記制御装置においてユーザ・インタフェース表現を生成するステップであって、該ユーザインタフェース表現は前記選択されたパラメタを有しているステップと、
を有する方法。
【請求項２】
前記ユーザ・インタフェース表現は、ユーザとやり取りを行うために、ユーザ・インタフェース装置に送信され、前記複数の装置の中から選択されること、
を特徴とする請求項１記載の方法。
【請求項３】
前記ユーザ・インタフェース表現の一部は、前記複数の装置の中から選択された多数の装置に転送されること、
を特徴とする請求項２記載の方法。
【請求項４】
請求項３記載の方法であって、更に、
ユーザとのやり取りを行うために、前記制御装置に、前記ユーザ・インタフェース表現を表示するステップ、
を有すること特徴とする方法。
【請求項５】
請求項４記載の方法であって、更に、
前記使用情報が実質的に変化した場合、前記ユーザ調整可能なパラメタの選択を更新するステップと、
更新されたユーザ・インタフェース表現を生成するステップと、
を有すること特徴とする方法。
【請求項６】
前記ユーザ・インタフェースは、グラフィカルなユーザ・インタフェースによってやり取りを行うこと、
を特徴とする請求項５記載の方法。
【請求項７】
複数の装置に対して単一のユーザ・インタフェースを提供するためのシステムであって、少なくとも複数の前記装置は少なくとも一つのユーザ調整可能なパラメタを有するシステムにおいて、
少なくとも複数の前記装置において、制御装置に対して前記少なくとも一つのユーザ調整可能なパラメタを表現する情報を送信する手段と、
少なくとも複数の前記装置の現在の使用に関連する使用情報を得るための手段と、
前記使用情報に基づき、前記現在の使用に関連するユーザ調整可能なパラメタを選択するための手段であって、該パラメタは受信された前記パラメタから選択される手段と、
前記制御装置においてユーザ・インタフェース表現を生成するための手段であって、該ユーザインタフェース表現は前記選択されたパラメタを有している手段と、
を有するシステム。
【請求項８】
前記ユーザ・インタフェース表現は、ユーザとやり取りを行うために、ユーザ・インタフェース装置に送信され、前記複数の装置の中から選択されること、
を特徴とする請求項７記載のシステム。
【請求項９】
前記ユーザ・インタフェース表現の一部は、前記複数の装置の中から選択された多数の装置に転送されること、
を特徴とする請求項８記載のシステム。
【請求項１０】
請求項９記載のシステムであって、更に、
ユーザとのやり取りを行うために、前記制御装置に、前記ユーザ・インタフェース表現を表示するための手段、
を有すること特徴とするシステム。
【請求項１１】
請求項１０記載のシステムであって、更に、
前記使用情報が実質的に変化した場合、前記ユーザ調整可能なパラメタの選択を更新するための手段と、
更新されたユーザ・インタフェース表現を生成するための手段と、
を有すること特徴とするシステム。
【請求項１２】
前記ユーザ・インタフェースは、グラフィカルなユーザ・インタフェースによってやり取りを行うこと、
を特徴とする請求項１１記載のシステム。
【請求項１３】
前記ユーザ・インタフェースはハンドヘルド装置であること、
を特徴とする請求項１２記載のシステム。
【請求項１４】
複数のユーザ・インタフェースから単一のユーザ・インタフェースを提供するための制御装置であって、
ユーザ調整可能な装置からユーザ調整可能なパラメタを受け取るための手段と、
前記装置の現在の使用に関連する使用情報を得るための手段と、
前記使用情報に基づき、前記現在の使用に関連するユーザ調整可能なパラメタを選択するための手段であって、該パラメタは受信された前記パラメタから選択される手段と、
前記選択されたパラメタを有するユーザ・インタフェース表現を生成するための手段と、
を有する制御装置。
【請求項１５】
１つ又はそれより多くの処理ユニットに、前記請求項１から６のいずれか一項に記載の方法を実行させるための命令を有するコンピュータプログラムプロダクト。
【請求項１６】
請求項１５に記載のコンピュータプログラムを有する記憶装置。
【発明の詳細な説明】
【技術分野】
【０００１】
本発明は、単一のユーザ・インタフェースを、複数の装置に対して提供する方法に関し、少なくとも複数の装置は、少なくとも１つのユーザが調整可能なパラメタを有する。加えて、本発明は、既述のように、単一のユーザ・インタフェースを、複数の装置に対して提供するための装置に関する。
【０００２】
更に、本発明は、単一のユーザ・インタフェースを、複数の装置に対して提供するためのシステムに関する。
【背景技術】
【０００３】
離れた場所からの装置の操作制御のためのリモコンは、ビデオ、テレビ、セキュリティ・システム、その他で使用される。複数の装置に適合するリモコンが、例えば、テレビ及びビデオを同時に制御するために複数のリモコンを所持することからユーザを緩和するために、存在する。更に、欧州特許第０８５３３０１号により、リモコン装置は、装置の存在、及び該装置の能力に従ったユーザ・インタフェースを提供するための当該装置の当該能力、を検出することができる、ということが知られている。しかしながら、前記リモコンは、前記ユーザに、離れた装置によってサポートされない方法で該離れた装置を制御する、例えばモノラルラジオ受信機における音のパンを調整すること、という選択肢を与えない。
【発明の開示】
【発明が解決しようとする課題】
【０００４】
しかしながら、このリモコンは、離れた装置によって提供されるメディアによってサポートされない、該離れた装置の幾つかの設定を調整するという選択肢を、ユーザに与えるだろう。それは、例えば、見られている番組が白黒映画であるとした場合の、カラーテレビのカラーの調整であり得る。これは、前記ユーザに与えられた選択肢を不適当にし、この結果、不便であると思われるであろう。
【０００５】
同様に、離れた装置が選択されたメディアストリームを提供することが有用であるかどうかを決定することが、前記ユーザに残される。それは、テレビに接続されたサラウンド・サウンド装置であり得る。前記ユーザは、このサラウンド装置が、その時見ている番組との組み合わせで有用であるかどうかを決定しなければならない。前記テレビは、サラウンド・サウンド処理を実行するサラウンド・サウンド装置との通信を、自動的にはサポートしないので、前記リモコンは、これらの処理を、順に、１つずつ実行しなければならない。欧州特許第０８５３３０１号は、各装置のためのユーザ・インタフェースを、別々に有する「多目的」装置を示している。この発明の欠点は、なお、２つのステップにおいて、前記ユーザが、最初に１つの装置のスイッチを入れ、次に該第１の装置の１つ又はそれより多くの機能に重なる第２の装置の機能を切る必要があるということである。それは、前記ユーザは、サラウンド・サウンド装置のスイッチを入れ、次に、望む体験を得るために、前記テレビの音を切るであろう、ということであり得る。
【０００６】
以上のことは、先行技術においては、ユーザに、そのような２つの個々の機能と、その時に提供されるメディアに関する情報とを組み合わせることを可能にするユーザ・インタフェースが示されていない、ということである。
【０００７】
前述した、先行技術の問題を解決する方法（及び対応するシステム）を提供することが、本発明の目的である。
【課題を解決するための手段】
【０００８】
これは、複数の装置に対して単一のユーザ・インタフェースを提供する方法であって、少なくとも複数の前記装置は少なくとも一つのユーザ調整可能なパラメタを有し、該方法は、制御装置に対して前記少なくとも一つのユーザ調整可能なパラメタを表現する情報を送信するステップと、少なくとも複数の前記装置の現在の使用に関連する使用情報を得るステップと、前記使用情報に基づき前記現在の使用に関連するユーザ調整可能なパラメタを選択するステップであって該パラメタは受信された前記パラメタから選択されるステップと、前記制御装置においてユーザ・インタフェース表現を生成するステップであって該ユーザインタフェース表現は前記選択されたパラメタを有しているステップと、を有する方法（及び関連するシステム）によって達成される。
【０００９】
このような方法で、ユーザ・インタフェースは、アクセス可能なユーザ調整可能な、例えば、実際にアクセス可能なメディア情報、その他に従って、選択された関連する機能を有するユーザ・インタフェース機能のみを含む、有効なユーザ・インタフェースを提供することができるだろう。
【００１０】
つまり、単一のユーザ・インタフェースを複数の装置に対して適合させることが、本発明の目的である、ということであり、少なくとも複数の装置は、少なくとも１つのユーザが調整可能なパラメタを有し、前記方法（及びシステム）は、先行技術の前記問題を解決する。加えて、動的に前記装置の能力に適合する、単一の装置リモコンを提供することが本発明の目的である。
【００１１】
提供しているメディア装置が、提供されるべきメディアコンテンツに関する情報を提供することが本発明の、更なる目的である。
【００１２】
より詳しくは、選択されるアプリケーションに依存して、複数の装置を制御するための、統合されたユーザ・インタフェースを提供するリモコンを提供することが目的である。それは、特定のアプリケーションに関連する前記有効な装置に、該有効な装置の制御パラメタを問い合わせることによって達成される（すなわち、該アプリケーションがロマンチックな音楽を流している場合、前記適切な装置はオーディオ及びライトであり、これらの装置は、当該装置の制御可能なパラメタを問い合わせられる）。これらのパラメタは、リモコンの統合されたユーザ・インタフェースを介して、制御され得る。
【００１３】
映画のようなメディアストリームが、テレビスクリーンのようなメディア装置に提供されており、該映画が白黒製品である場合、カラーバランス制御は適切ではなく、使用されない。前記制御装置によってメディア装置を問い合わせることにより、非カラーメディアストリームに関する情報が、該制御装置によって得られるであろうし、当該制御装置は、後者において述べたように、更に、当該情報を、前記テレビスクリーンを有する前記メディア装置から引き出される、受け取ったユーザ・インタフェースと結びつけ、前記カラーバランス選択肢を表示する必要がないと結論を下すであろう。
【発明を実施するための最良の形態】
【００１４】
本発明の他の好ましい実施例は、従属項に規定される。
【実施例１】
【００１５】
図１は、制御装置５、ユーザ・インタフェース装置１、及び各々アプリケーション及び入出力通信インタフェース１０と少なくとも１つのユーザ調節可能なパラメタとを有する２つの装置２，３、を有する本発明の実施例を図解する。装置１，２，３、及び５の組は、有線又は（ブルートゥース（登録商標）又はＬＡＮのような）無線のネットワーク４を介して接続される。少なくとも複数の装置は、少なくとも１つのユーザ調整可能なパラメタを有し、該装置は、少なくとも１つのユーザ調節可能なパラメタを表す情報を、制御装置５へ転送する。制御装置５は、典型的には、オーディオ及びビデオ能力のような該装置の一般的な能力となるであろう、前記複数の装置の、その時の使用に関する使用情報を得る。制御装置５は、その時に選択された活性化状態の装置、及び該装置によって届けられるサービスのような前記使用情報に基づいて、その時の使用に関する、ユーザ調整可能なパラメタを選択するであろう。制御装置５は、前記その時の使用に関する前記パラメタを有するユーザ・インタフェース表現を生成する。
【００１６】
開始に際し、制御装置５は、ネットワーク要求を行い、その時の環境において、少なくとも１つのユーザ調整可能なパラメタを有する適合する装置を検索し、該装置のユーザ・インタフェースの表現及びアプリケーション能力を、当該装置に問い合わせるであろう。このように、制御装置５は、前記識別された装置の利用可能な能力の概要を入手し、該装置の制御への、最も可能性のあるユーザ・インタフェースを決定するだろう。この最適なユーザ・インタフェースは、識別されたアプリケーション装置の、いくつかの又は全ての能力を有しても良い。前記議論された環境におけるアプリケーション装置のために、該装置は、当該装置のユーザ・インタフェース及びアプリケーション能力を、ネットワーク上の他の装置に公開することができなければならない、ということを意味する。
【００１７】
以下において、図１に示された装置１，２，３及び５は、それぞれ、ユーザ・インタフェース装置、テレビ装置、サラウンド・サウンド装置、及び制御装置、として知られているだろう。
【００１８】
例えば、テレビ２が、与えられた環境において識別された場合、テレビ２は、テレビ２のユーザアクセス可能なインタフェース（例えば、音量及び明るさ制御）と、サポートされるメディアが提供する能力及び前記装置が外部の制御装置から制御情報及びユーザ・インタフェースを受け取ることができるか否かというような情報を含んでいる前記装置の他の個々の能力と、を転送することが促されるであろう。前記メディアが提供する能力は、ビデオスクリーン、及び音のためのスピーカの存在ような情報であり得える。同様に、ユーザ・インタフェース装置１及びサラウンドサウンドシステム３は、前記装置が、該装置自身についての情報を、該ユーザインタフェースの表現と共に制御装置５に転送した後に、それらのユーザアクセス可能なインタフェース及びメディアの提供する能力を問い合わされるであろう。前記装置からこの情報を受け取ると、ユーザ・インタフェース装置１、テレビ２及びサラウンド・サウンド装置３、制御装置５は、動的に、その時の使用に関する全ての装置のユーザ・インタフェースを有するユーザ・インタフェースを生成することができるであろう。望ましくは、前記制御装置は、例えば、テレビ２に属している音量ボタンが、ユーザに対し、サラウンド・サウンド装置３の音量ボタンの出現と同時に現れないように、選択された二重機能を取り除くことができるであろう。
【００１９】
制御装置５が、組み合わされたユーザ・インタフェースを、動的に導き出した後に、制御装置５は、該組み合わされたユーザ・インタフェースを、ユーザに対して提供するためのユーザ・インタフェース装置１に、前記ネットワークを介して送るであろう。
【００２０】
例えば、テレビ２及びサラウンド・サウンド装置３が環境に置かれ、前記制御装置が映画の提供を開始された場合、制御装置５は、映画放送内の情報に基づいて、該映画の利用可能な内容を決定するであろう。典型的には、テレビ２、及びサラウンド・サウンド装置３は、テレビ２のアプリケーション内のオーディオが、サラウンド・サウンド装置３に経由されることを可能とするために、オーディオケーブルで、又はネットワークを介して、互いに接続されているであろう。
【００２１】
前述の映画がサラウンド・サウンド情報を含んでいない場合、サラウンド・サウンド装置３のサラウンド・サウンド設定は、一切ユーザに提供されるべきはない。メディアコンテンツが、白黒映画として識別された場合、例えばカラーバランスの調整設定を有している典型的なテレビでは、しかし、当該選択肢もまた、ユーザに対して有効となるべきではない。
【００２２】
前記ユーザ調整可能な装置の前記ユーザ・インタフェースは、記述的なユーザ・インタフェースのみとして、又はより進歩して、更に前記制御装置によるグラフィカルアイコンとして、のいずれかで問い合わされ得る。
【００２３】
例として、
テレビ２は、例えば、以下の能力を有する。
-カラーで映像を表示すること
-ステレオでオーディオを提供すること
-チャンネル選択、及び
-電源投入／切断
【００２４】
テレビ２の前記ユーザインタフェースは、典型的には以下を有する。
-カラーバランス及び明るさのような表示関連制御
-音量制御、及びモノラル／ステレオ選択のようなオーディオ関連制御
-チャンネル選択制御、及び
-オン／オフ制御
【００２５】
この情報によって、制御装置１は、どの型のメディアストリーム又は情報を、テレビ２が提供できるのかということを決定することがでる。この特定の例では、映像及びオーディオである。他の装置が同一の選択肢を勝手にいじらない限り、前記ユーザ・インタフェースは、制御装置１によって、ユーザにそのまま提供され得る。第２の装置、サラウンド・サウンド装置３は、前記アプリケーションの範囲内の装置の組に、導入されるであろう。
【００２６】
前記サラウンド・サウンド装置は、例えば、以下の能力を有しても良い。
-サラウンドサウンドオーディを提供すること
-電源のオン／オフ
【００２７】
ここでの拡張において、前記サラウンドサウンド装置の前記ユーザインタフェースは、典型的には、以下を有する。
-音量及び高音/低音調整のようなオーディオ関連制御、及び
-オン／オフ制御
【００２８】
ここで、重複する機能を有する２つの装置が存在するとしよう。前記音量制御は、テレビ２及びサラウンド・サウンド装置３の両者に存在する。前記ユーザのための最高の体験が規定されることによって、どの装置がオーディオを提供するのに最も適しているかということが決定されるであろう。この場合、それはサラウンド・サウンド装置３であり、テレビ２から生じる前記オーディオよりも好ましいはずである。したがって、制御装置５によって動的に設計された前記ユーザ・インタフェースは、サラウンド・サウンド装置３によって二重化されるテレビ２の音量制御及び他のオーディオ関連ユーザ設定を含まないであろう。しかしながら、テレビ２はオーディオ装置として好ましくないけれども、当該機能は未だ有効なので、テレビ２の前記モノラル／ステレオ選択選択肢は、ユーザに提供され得る。
【００２９】
ユーザがテレビ画面で映画を見ていて、オーディオは、提供されるためにサラウンド・サウンド装置に向けられている、と仮定する。次いで、前記ユーザが、テレビ２のオーディオ能力によって、全てのオーディオを、モノラルのみで聞くことを決定し、ユーザ・インタフェース装置１で適切な設定を選択する。制御装置５はコマンドをテレビ２に伝達し、オーディオ・ルーティング・コマンドを、提供されたメディアのオーディオがテレビ２に経路を定められなければならないと通達するストリーミングメディア装置に送ることで、該テレビ２のオーディオ特性をモノラルに設定するであろう。この機能は、ユーザに、ミュートするもの及びミュートを解除するものを考慮しなければならないことなしに、モノラルオーディオを体験することを可能とする。
【００３０】
両装置の前記オン／オフ選択肢は、それぞれの装置の排他的な性質であり、これは、他の装置がこの機能を二重化し得ないということを意味する。前記テレビに属する前記オン／オフ選択肢は、なお、前記サラウンド・サウンド受信機のオン／オフ選択肢への並列使用を与えられるための、動的ユーザ・インタフェースの一部であるべきである。
【００３１】
同様に、前記映画がサラウンドサウンドフォーマットで表現されていない場合、前記サラウンド・サウンド装置から受け取られる前記ユーザ・インタフェースは、結果的に、提供されないであろう。
【００３２】
幾つかの理由のために、ユーザがテレビ２の音量を、（ネットワークに接続されていない）標準リモコンから制御するであろう場合、結果は、通常、ユーザの行為に従って、内部スピーカが通常に制御されるというものになるであろう。従って、使用中の他の装置の情報を集めるために、テレビ２が、制御装置５から制御パラメタを受け取ることができるということが、目的である。
【００３３】
つまり、サラウンドサウンドシステムがオーディオアプリケーションのために使用される場合、前記テレビアプリケーションは、内部オーディオ能力を使用しないことが知らされるべきである。前記テレビアプリケーションがネットワーク接続されていない制御装置からコマンドを受け取り、該アプリケーションが内部で該コマンドを処理しないように通達された場合、当該コマンドは、直接、又は制御装置５のような、ユーザ・インタフェース情報を受け取ることのできる、ネットワーク上の他のアプリケーションを経由するかのいずれかで、前記サラウンド・サウンド装置に回送されるべきである。
【００３４】
他のアプリケーションからユーザ・インタフェース情報を受け取ることができない装置は、当該特定の装置のために利用可能なユーザ調整可能なパラメタを変更するために使用され得るのみである。
【００３５】
したがって、ネットワーク上の前記装置は、当該装置のユーザ・インタフェース能力を公表することができ、他の装置上で動作するユーザインタフェースアプリケーションの役割を受け取ることができる、ということが望ましい。しかしながら、装置がユーザ・インタフェース情報を受け取ることができないとしても、他の装置を制御することは可能であるかもしれない。この場合、前記アプリケーションは、ユーザ・インタフェース情報を送ることができ、当該アプリケーションに、既に含まれているユーザ・インタフェースにおいて、他の装置を使用することを可能とする。
【００３６】
２つのテレビ、音声制御装置、及びサラウンド・サウンド装置が存在する環境の例を考える。ＰＤＡのようなユーザ・インタフェース装置を有するユーザは、この環境に入り、音声によって、前週のＦ１レースを見ることを要求する。
【００３７】
前記音声制御装置は、ユーザによって話されるコマンドを解析し、Ｆ１アプリケーショを開始する。最適な体験のために、前記Ｆ１アプリケーションは、この場合、レースを表示するためにテレビ（カメラアングル毎に１つのテレビ）を使用し、ユーザのＰＤＡにカメラのオンスクリーン制御を載せ、Ｆ１レース特定音声コマンドを受け取る前記音声制御装置を使用すべきであり、及びオーディオのための前記サラウンド・サウンド装置を使用し、それ故、Ｆ１アプリケーションは、前記環境において、ユーザを楽しませるための、組み合わされた、望まれた能力を使用している。
【００３８】
上述の例において、Ｆ１アプリケーションは、前記環境内の前記装置のためにネットワークを観察しなければならない。前記アプリケーションは、前記装置に問合せ、前記テレビがビデオを表示するための手段を備え、ユーザ・インタフェース装置が存在し、仮想的なボタンを介してユーザが楽しむことに適している、ということを見出す。前記Ｆ１アプリケーションは、前記音声制御装置及び前記サラウンド・サウンド装置をもまた、見出す。前記Ｆ１アプリケーションは、この全体像を得た後、前記Ｆ１アプリケーションは、該Ｆ１レースを体験するための最良の方法を決定することができる。前記ネットワークを介して、前記Ｆ１アプリケーションはテレビに接続され、２つの異なるカメラアングルを表示するための該テレビをセットアップするだろう。前記Ｆ１アプリケーションは、また、前記受け取った、前記リモコンアプリケーションのユーザ・インタフェースに基づいて前記ユーザに表示したい前記ボタンの記述を決定しダウンロードするであろう。同様に、前記Ｆ１アプリケーションは、前記Ｆ１アプリケーションのユーザとのやり取りの一部を提供するために、音声制御装置及びサラウンド・サウンド装置を設定する。前記制御装置が、ネットワークにおいて利用可能な装置の情報を収集し、動的に前記ユーザ・インタフェースを設計した後であるので、該制御装置は、様々な部品を、該ネットワークを介して、様々な装置に送るに違いない。
【００３９】
装置が、続いて、環境に追加された場合、該装置は、潜在するネットワークシステムによって、前記アプリケーションと通信されるだろうし、該アプリケーションは、そのユーザ・インタフェースを再設計し、加えられた機能を利用するであろう。例えば、もし、ＰＤＡを有する第２のユーザが、Ｆ１アプリケーションが動作している環境に歩いて入ったとすると、該Ｆ１アプリケーションは、このユーザにも、また、該アプリケーションを介して、制御を与えることを決定できるだろうし、この方法は、前記新たなＰＤＡに遠隔装置の制御を可能とするであろう。
【００４０】
加えて、提供されるメディアが、環境において、いかなる装置によっても配送可能でない情報を含んでいる場合、前記制御装置は、前記ユーザ・インタフェース装置を介して、この制限を前記ユーザに警告することができる。前記制御装置は、その上、全ての要求されたメディア能力が有効でない限り、前記ユーザを、いかなる前記メディア情報を受け取ることからも拒み、又は前記メディアに含まれた情報の幾つかを削減することができる。
【実施例２】
【００４１】
図２は、制御装置５、及びユーザ・インタフェース装置１が、ＰＤＡ又は専用ソフトウエア及び通信手段を有するラップトップコンピュータのような類似物である、単一のマスタ制御装置６、に組み合わされたシステムを示す。前記ユーザ・インタフェース装置１及び制御装置５を組み合わせることによって、統合された役割が提供され、典型的には、携帯性の利益を得ることができる。更に、組み合わされた携帯マスタ制御装置６は、前記ユーザの好みの設定を有するプロパティを、ユーザに対して請け負うことができる。このようにして、いかなる望まれる調整可能な装置設定も、前記ユーザが新たな環境に入った場合、自動的に公開され得る。これは、例えば、光の程度又は部屋の温度設定であり得る。
【００４２】
図３ａは、全て、本発明によるバスを解して接続される１つ又はそれより多くのマイクロプロセッサ７、ストレージ９、及び入出力手段１０を有する制御装置の実施例を示す。前記１つ又はそれより多くのプロセッサ７は、ストレージ９と入出力手段１０との間の相互作用機構である。入出力手段１０は、制御装置５との通信のための責任を持ち、処理の間中、利用可能な調整可能なパラメタ１４のような使用情報１５、ユーザ・インタフェース１２及び他の相互作用の転送が生じるであろう。特定のユーザに関するプロファイル１３は、入手力手段１０を介して、遠隔装置から更新され得る。ユーザ・インタフェース装置と制御装置との間の、この通信は、例えば、赤外線、ブルートゥース（登録商標）、ＩＥＥＥ８０２．１１、無線ＬＡＮ、その他を用いたものであるだろうが、有線の応用解決策もまた有用であるだろう。ストレージ９は、ユーザ・インタフェースを設計するための専用コンピュータプログラム１１のような関連した情報を、受け取ったユーザ・インタフェース１２及びユーザプロファイル１３とともに、記憶する。望まれる設定は、明かりの設定、サラウンド・サウンド設定、及びユーザ設定に関連する全てのシステムを包含するだろう。更に、前記ストレージは、いかなる現存の装置によって与えられる最適性能をも利用するように予め設定されたプログラムを有し得る。
【００４３】
図３ｂは、組み合わされた、ユーザ・インタフェース装置１及び制御装置５のブロック図を示し、基本的には、ユーザと相互作用するディスプレイユニット８を有する拡張された制御装置である。ユーザは、ディスプレイユニット８を介して、ユーザプロファイル１３をプログラムすることができ、前記ユーザ・インタフェース、その他を、組み合わされた制御装置６で、直接制御することができる。
【図面の簡単な説明】
【００４４】
【図１】図１は、制御装置、ユーザ・インタフェース装置、及び少なくとも１つのユーザ調節可能なパラメタを有する２つの装置を有する本発明の実施例を図示する。
【図２】図２は、ユーザ・インタフェース装置、及び単一のユニットとしての制御装置を有する、本発明の第２の実施例を図示する。
【図３ａ】図３ａは、本発明のユーザ・インタフェースの概略のブロック図を図示する。
【図３ｂ】図３ｂは、本発明の制御装置の概略のブロック図を図示する。
【図１】
2005519555.tif 000003
【図２】
2005519555.tif 000004
【図３ａ】
2005519555.tif 000005
【図３ｂ】
2005519555.tif 000006
【国際調査報告】
2005519555.tif 000007
2005519555.tif 000008